(57)【要約】【課題】楽曲から着うたのデータファイルへの加工を迅速に行い、着うたの配信を円滑に行うことのできる着うた配信システムを提供する。【解決手段】楽曲をサーバにコピーする楽曲ソースコピー手段１１と、楽曲ソースコピールールを記録した楽曲ソースコピールール記録手段１２と、最適な楽曲ソースコピールールを抽出する楽曲ソースコピールール抽出手段１３と、楽曲データベースに保存する楽曲抽出手段１４と、楽曲抽出ルールを記録する楽曲抽出ルール記録手段５と、最適な楽曲抽出ルールを抽出する楽曲抽出ルール抽出手段１６と、楽曲データファイルを蓄積する楽曲データベース１７と、変換仕様別データベースに蓄積する形式変換手段１８と、形式変換ルールを記録する形式変換ルール記録手段１９と、などを有する。【選択図】図１
2006184821.tif 000002
【特許請求の範囲】
【請求項１】
楽曲ソースに記録された楽曲から着うたデータファイルを作成し配信するシステムであって、適用すべき楽曲ソースコピールールに基づき、楽曲ソースに記録された楽曲の全部又は一部をサーバにコピーする楽曲ソースコピー手段と、
予め楽曲ソースコピールールを記録しておく楽曲ソースコピールール記録手段と、
楽曲ソースコピールール記録手段に記録された楽曲ソースコピールールから、各楽曲について最適な楽曲ソースコピールールを抽出する楽曲ソースコピールール抽出手段と、
上記楽曲ソースコピー手段がコピーした楽曲の一部分を適用すべき楽曲抽出ルールに基づき抽出し、楽曲データベースに保存する楽曲抽出手段と、
予め楽曲抽出ルールを記録しておく楽曲抽出ルール記録手段と、
楽曲抽出コピールール記録手段に記録された楽曲抽出ルールから、各楽曲について最適な楽曲抽出ルールを抽出する楽曲抽出ルール抽出手段と、
楽曲抽出手段が抽出した各楽曲の一部分を、楽曲データファイルとして蓄積する楽曲データベースと、
楽曲データベースに蓄積された各楽曲データファイルを、適用すべき形式変換ルールに基づき、携帯電話端末において着うたとして利用可能な仕様に変換して、変換仕様別データベースに蓄積する形式変換手段と、
予め形式変換ルールを記録しておく形式変換ルール記録手段と、
形式変換ルール記録手段に記録された形式変換ルールから、各楽曲について最適な形式変換ルールを抽出する形式変換ルール抽出手段と、
変換後の着うたデータファイルを、変換仕様ごとに着うたデータファイルとして蓄積する変換仕様別データベースと、
配信サイトを介して、変換仕様別データベースに蓄積されている変換後の着うたファイルを適用すべき配信ルールに基づき着うたサーバ会社又は携帯電話端末に配信する配信手段と、
予め配信ルールを記録しておく配信ルール記録手段と、
配信ルール記録手段に記録された配信ルールから、各配信先又は着うたについて最適な配信ルールを抽出する配信ルール抽出手段と、を有することを特徴とする着うた配信システム。
【発明の詳細な説明】
【背景技術】
【０００１】
近年、携帯電話の着信音としてのメロディー、いわゆる着メロが普及しており、携帯電話端末の所有者は最新の流行曲など好みの着メロを取り入れている。
さらに最近では、携帯電話の機能の向上により、着メロのみならず携帯電話の着信音のうち、特に、メロディだけでなく歌声も入ったもの（楽曲）、いわゆる「着うた」も普及しつつある（以下、本発明では歌声も入った携帯電話の着信音を「着うた」という場合がある。）。
着メロについては、例えば特許文献１のような携帯電話機に対して音楽データを配信する際に携帯電話機に適した音楽データの配信を行う音楽配信システムや、特許文献２のような着信メロディを容易にダウンロードできるシステムが開発されている。
一方、着うたについては、着メロの場合のように携帯電話の仕様に変換することが困難であり、着うたの配信会社（いわゆる着うた配信卸会社）が楽曲の一部分をＣＤ等の媒体からコピーして携帯電話の着うたとして利用できる仕様に変換する作業を１曲ずつ行っていた。
【０００２】
【特許文献１】特開２００１−３１８６７３号公報
【特許文献２】特開２００２−１４２０４４号公報
【発明の開示】
【発明が解決しようとする課題】
【０００３】
本発明は、上記の従来の問題点に鑑みて、楽曲から着うたのデータファイルへの加工を迅速に行い、着うたの配信を円滑に行うことのできる着うた配信システムを提供することを目的とする。
【課題を解決するための手段】
【０００４】
上記課題を解決すべく鋭意検討を重ねた結果、本発明者らはＣＤやＤＶＤ等の楽曲ソース中の楽曲をコピーし、その一部分を抽出し、各携帯電話会社の仕様に併せて変換し、着うたサーバ会社や携帯電話端末へ配信する一連の作業を自動化することにより、本発明の目的を達成できることを見出し、本発明に到達した。
請求項１記載の着うた配信システムは、
楽曲ソースに記録された楽曲から着うたデータファイルを作成し配信するシステムであって、
適用すべき楽曲ソースコピールールに基づき、楽曲ソースに記録された楽曲の全部又は一部をサーバにコピーする楽曲ソースコピー手段と、
予め楽曲ソースコピールールを記録しておく楽曲ソースコピールール記録手段と、
楽曲ソースコピールール記録手段に記録された楽曲ソースコピールールから、各楽曲について最適な楽曲ソースコピールールを抽出する楽曲ソースコピールール抽出手段と、
上記楽曲ソースコピー手段がコピーした楽曲の一部分を適用すべき楽曲抽出ルールに基づき抽出し、楽曲データベースに保存する楽曲抽出手段と、
予め楽曲抽出ルールを記録しておく楽曲抽出ルール記録手段と、
楽曲抽出コピールール記録手段に記録された楽曲抽出ルールから、各楽曲について最適な楽曲抽出ルールを抽出する楽曲抽出ルール抽出手段と、
楽曲抽出手段が抽出した各楽曲の一部分を、楽曲データファイルとして蓄積する楽曲データベースと、
楽曲データベースに蓄積された各楽曲データファイルを、適用すべき形式変換ルールに基づき、携帯電話端末において着うたとして利用可能な仕様に変換して、変換仕様別データベースに蓄積する形式変換手段と、
予め形式変換ルールを記録しておく形式変換ルール記録手段と、
形式変換ルール記録手段に記録された形式変換ルールから、各楽曲について最適な形式変換ルールを抽出する形式変換ルール抽出手段と、
変換後の着うたデータファイルを、変換仕様ごとに着うたデータファイルとして蓄積する変換仕様別データベースと、
配信サイトを介して、変換仕様別データベースに蓄積されている変換後の着うたファイルを適用すべき配信ルールに基づき着うたサーバ会社又は携帯電話端末に配信する配信手段と、
予め配信ルールを記録しておく配信ルール記録手段と、
配信ルール記録手段に記録された配信ルールから、各配信先又は着うたについて最適な配信ルールを抽出する配信ルール抽出手段とを有することを特徴とする。
請求項２に記載の着うた配信システムは、請求項１において、
配信手段は、携帯電話端末に配信する際に、その携帯電話端末に合う変換仕様を判断することを特徴とする。
【発明の効果】
【０００５】
本発明の着うた配信システムによれば、楽曲から着うたのデータファイルへの加工を迅速に行い、着うたの配信を円滑に行うことができる。
【発明を実施するための最良の形態】
【０００６】
本発明の着うた配信システムは、システム管理会社が楽曲ソースに記録された楽曲から着うたデータファイルを作成し配信するシステムである。
本発明において「着うた」とは、携帯電話端末の着信音のうち、特に、メロディだけでなく歌声も入ったもの（楽曲）をいう。本発明の着うた配信システムは、これらの手段を機能させるソフトウェア等として、システム管理会社のコンピュータ等のハードウエア資源を用いて機能させるものである。
本発明において、システム管理会社とは、携帯電話端末へ着うたの配信を業とする者（本発明では着うたサーバ会社という）に対し、着うたデータファイルを配信する者（会社、法人、個人など業務形態を問わない）を意味する。着うたサーバ会社自身がシステム管理会社となることもできる。
【０００７】
本発明の着うた配信システムは、図１に示すように、楽曲ソースコピー手段１１、楽曲ソースコピールール記録手段１２、楽曲ソースコピールール抽出手段１３、楽曲抽出手段１４、楽曲抽出ルール記録手段１５、楽曲抽出ルール抽出手段１６、楽曲データベース１７、形式変換手段１８、形式変換ルール記録手段１９、形式変換ルール抽出手段２０、変換仕様別データベース２１、配信手段２２、配信ルール記録手段２３、及び配信ルール抽出手段２４からなる。
【０００８】
楽曲ソースコピー手段１１は、適用すべき楽曲ソースコピールールに基づき、楽曲ソースに記録された楽曲の全部又は一部をサーバにコピーする手段である。
楽曲ソースとは、楽曲を１曲以上蓄積する媒体を意味し、具体的には、ＣＤ、ＤＶＤ、レコード、ＭＤなどを意味する。楽曲ソースは、その楽曲の種類や量等に関係なく、システム管理会社が着うたとして利用したい楽曲の入ったものを適宜選択して適用することができる。
楽曲ソースに記録された楽曲の全部又は一部をコピーするとは、楽曲ソースに記録された楽曲が１つの場合はその楽曲を、また記録された楽曲が複数の場合の全曲或いはそのうちの幾つかの楽曲を、各楽曲につき全部（フルコーラス）コピーすることを意味する。
具体例として、楽曲ソースコピー手段１１は、システム管理会社のパソコン等のＣＤ−ＲＯＭドライバーからＣＤの楽曲を抽出しコピーするものとすることができる。
楽曲ソースコピールール記録手段１２は、予め楽曲ソースコピールールを記録しておく手段である。楽曲ソースコピールールとは、楽曲が複数の場合にどの楽曲をコピーの対象とするかを意味する。
楽曲ソースコピールールは、一律全曲とすることもできるし選択した曲のみとすることもできる。また、両者の中から一方を選ばせるものとすることもでき、着うたサーバ会社の選択指示や本システムの管理会社の選択指示によって行うことができる。
楽曲ソースコピールール抽出手段１３は、楽曲ソースコピールール記録手段１２に記録された楽曲ソースコピールールから、各楽曲について最適な楽曲ソースコピールールを抽出する。
【０００９】
楽曲抽出手段１４は、楽曲ソースコピー手段１１がコピーした楽曲の一部分を、適用すべき楽曲抽出ルールに基づき抽出し、楽曲データベース１７に保存する手段をいう。
楽曲の一部分とは、その楽曲の出だし、すなわちイントロダクション（例えば、歌い始めの２０〜３０秒程度）、繰り返しフレーズ部分、ＣＭなどで使用されている楽曲の最も印象に残る任意の部分等を意味する。楽曲の「一部分」とは何を意味するかは、システム管理会社の希望に沿って一律に定めることもできるし、例えば図５のような楽曲抽出指定画面を提示して、各楽曲ごとに着うたサーバ会社に指定させることもできる。また、同じ楽曲から２以上の部分を抽出することもできる。
楽曲抽出ルール記録手段１５は、予め楽曲抽出ルールを記録しておく手段である。楽曲抽出ルールとは、楽曲ごとにどの部分を抽出するかの取り決めをいう。すなわち、「楽曲の一部分」とは各楽曲についてイントロダクションを意味するのか、繰り返しフレーズ部分を意味するのか、あるいは、印象に残る任意の部分を意味するのか、などを楽曲抽出ルールに基づき楽曲抽出ルール記録手段１５に記録しておく。
楽曲抽出ルール抽出手段１６は、楽曲抽出ルール記録手段１５に記録された楽曲抽出ルールから、各楽曲について最適な楽曲抽出ルールを抽出する。
【００１０】
楽曲データベース１７は、楽曲抽出手段１４が抽出した各楽曲の一部分を、楽曲データファイルとして蓄積する手段である。
【００１１】
形式変換手段１８は、楽曲データベース１７に蓄積された各楽曲データファイルを、適用すべき形式変換ルールに基づき携帯電話端末において着うたとして利用可能な仕様に変換して、変換仕様別データベース２１に蓄積する手段である。
携帯電話端末において着うたとして利用可能な仕様とは、それぞれの携帯電話会社毎に異なっている携帯電話端末に応じた仕様（キャリア）を意味する。形式変換条件は、例えば図６のような形式変換条件指定画面を提示してシステム管理会社が指定することができる。
形式変換ルール記録手段１９は、予め形式変換ルールを記録しておく手段である。形式変換ルールとは、各楽曲をどの携帯電話端末に応じた仕様に変換するかを意味し、各楽曲ごとに定めることができる。例えば楽曲ＩはＡ社の仕様のみ、楽曲ＩＩはＡ社、Ｂ社、Ｃ社の各仕様に変換するなどを意味する。変換は、着うたサーバ会社の選択指示や本システムの管理者の選択によって行うことができる。
形式変換ルール抽出手段２０は、形式変換ルール記録手段１９に記録された形式変換ルールから、各楽曲について最適な形式変換ルールを抽出する。
【００１２】
変換仕様別データベース２１は、変換後の着うたデータファイルを、変換仕様ごとに着うたデータファイルとして蓄積する手段である。
【００１３】
配信手段２２は、配信サイトを介して、変換仕様別データベース２１に蓄積されている変換後の着うたファイルを適用すべき配信ルールに基づき、着うたサーバ会社又は携帯電話端末に配信する手段である。
着うたファイルの着うたサーバ会社への配信は、着うたサーバ会社の依頼に応じて、必要な変換仕様の着うたファイルを抽出し配信する。着うたサーバ会社への配信は、インターネット等のネットワークを介して行なうことができ、その場合、配信手段２２は、各着うたサーバ会社のアドレスを記憶していることが好ましい。
【００１４】
着うたサーバ会社からの依頼は、着うたの種類ごと、変換仕様ごとであっても良い。
配信手段２２は、変換仕様別データベース２１に着うたデータファイルが新規に蓄積されると自動的に立ち上がり、着うたサーバ会社へ配信するものであっても良いし、各着うたサーバ会社からのネットワークを通じた要求（例えばメール等）により立ち上がり、配信するものであっても良い。
また、配信手段２２は、配信先が携帯電話端末である場合、すなわち、携帯電話端末の所有者自身から自分の携帯電話端末への着うた配信の依頼を受けて直接配信する場合に、その携帯電話端末に合致する変換仕様を判断し、該携帯電話会社に適合した仕様の着うたファイルを変換仕様別データベース２１から抽出して該携帯電話端末に送信するものであっても良い。
配信ルール記録手段２３は、予め配信ルールを記録しておく手段である。配信ルールとは、どの着うたをどの着うたサーバ会社又は携帯電話端末に配信するかの取り決めを意味し、各着うたごと又は配信先ごとに定めることができる。
例えば、着うたａはＡ社に、着うたｂはＡ社、Ｂ社、Ｃ社に配信する、などのような取り決めであり、着うたサーバ会社からの選択指示や本システム管理会社の選択によって行うことができる。また、携帯電話端末に直接配信する場合は、携帯電話端末に合致する変換仕様を判断する。
配信ルール抽出手段２４は、配信ルール記録手段２３に記録された配信ルールから、各配信先又は着うたについて最適な配信ルールを抽出する。
【００１５】
続いて、本発明の着うた配信システムの流れを、図２及び図３を参照して説明する。
まず、前提として、本着うた配信システムが管理者のパソコンなどのコンピュータにおいて作動する状態となっているものとする。
本着うた配信システムの管理者（システム管理会社）が、着うたとして利用したい楽曲の入ったＣＤなどの媒体を、システム管理会社のコンピュータのＣＤドライバーにセットする（ステップ１０１）。
ここで、一律に全曲を抽出する内容の楽曲コピールールが楽曲ソースコピールール記録手段１２に記録されている場合は（ステップ１０２のＡ）、楽曲ソースコピールール抽出手段１３が楽曲ソースコピールール記録手段１２からその楽曲コピールール（全曲）を抽出し、楽曲ソースコピー手段１１が、ＣＤの楽曲（全曲）を抽出しサーバにコピーする（ステップ１０３）。
一方、選択した楽曲のみを抽出する内容である楽曲コピールールが楽曲ソースコピールール記録手段１２に記録されている場合は（ステップ１０２のＢ）、楽曲ソースコピールール抽出手段１３が楽曲ソースコピールール記録手段１２からその楽曲コピールールを抽出し、まずＣＤ中の曲目を抽出し、図４のようにリスト（曲名、時間）として各楽曲を選択できるように画面上に示し（ステップ１０４）、システム管理会社が図４のリストのうち抽出したい楽曲の左端の○印をクリックして選ぶと、楽曲ソースコピー手段１１その楽曲を抽出しサーバにコピーする（ステップ１０３）。
さらに一方、全曲抽出か、あるいは一部を抽出するかを選択できる内容である楽曲ソースコピールール記録手段１２に記録されている場合は（ステップ１０２のＣ）、楽曲ソースコピールール抽出手段１３が楽曲ソースコピールール記録手段１２からその楽曲コピールールを抽出し、システム管理会社が全曲抽出を選択した場合（ステップ１０５のＹｅｓ）はステップ１０３に進み、選択抽出を選択した場合は（ステップ１０５のＮｏ）、ステップ１０４に進む。
【００１６】
楽曲抽出手段１４は、抽出部分が決まっている場合、例えば一律に楽曲の歌い始め２０秒を抽出するとの抽出ルールが楽曲抽出ルール記録手段１５に記録されている場合は（ステップ１０６のＹｅｓ）、楽曲抽出ルール抽出手段１６が楽曲抽出ルール記録手段１５からその楽曲抽出ルールを抽出し、楽曲の歌い始め２０秒を抽出して、楽曲データベース１７にデータファイルとして蓄積する（ステップ１０７）。
一方、楽曲の抽出箇所をその都度指定するとの抽出ルールが楽曲抽出ルール記録手段１５に記録されている場合には（ステップ１０６のＮｏ）、楽曲抽出ルール抽出手段１６が楽曲抽出ルール記録手段１５からその楽曲抽出ルールを抽出すると、図５のような画面を示し、楽曲の抽出箇所を楽曲ごとに、１曲目は出だし２０秒、２曲目はさび部分３０秒などと指定し（ステップ１０８）、ステップ１０７に進み、抽出して蓄積する。
【００１７】
続いて、一律に携帯電話会社Ａ社、Ｂ社、Ｃ社、・・・の仕様に変換すると定める形式変換ルールが形式変換ルール記録手段１９に記録されている場合は（ステップ１０９のＹｅｓ）、形式変換ルール抽出手段２０が形式変換ルール記録手段１９からその楽曲抽出ルールを抽出し、形式変換手段１８が携帯電話会社Ａ社、Ｂ社、Ｃ社、・・・の各仕様に変換して、変換仕様別データベース２１に蓄積する（ステップ１１０）。
一方、どの携帯電話会社の使用に変換するかその都度指定すると定める形式変換ルールが形式変換ルール記録手段１９に記録されている場合は（ステップ１０９のＮｏ）、形式変換ルール抽出手段２０が形式変換ルール記録手段１９からその楽曲抽出ルールを抽出し、図６のような画面を示し、システム管理会社が携帯電話会社Ａ社、Ｂ社、Ｃ社、・・・と楽曲ごとに適宜選択すると（ステップ１１１）、ステップ１１０に進み、各仕様に変換して変換仕様別データベース２１に蓄積する。
【００１８】
次に、着うたサーバ会社から歌手ａの楽曲３０曲分の着うたについて配信依頼があった場合（ステップ１１２のＹｅｓ）、配信手段２２を起動させる。
その着うたサーバ会社に対しては、一律に携帯電話会社Ａ社、Ｂ社、Ｃ社、・・・の仕様の着うたを配信することを定める配信ルールが配信ルール記録手段２３に記録されている場合は（ステップ１１３のＹｅｓ）、配信ルール抽出手段２４が配信ルール記録手段２３からその配信ルールを抽出し、配信手段２２は携帯電話会社Ａ社、Ｂ社、Ｃ社、・・・の変換仕様のファイルを変換仕様別データベース２１から選び出す（ステップ１１４）。
抽出できた（すなわち変換仕様別データベース２１に蓄積されていた）場合は（ステップ１１５のＹｅｓ）、抽出した着うたデータファイルを着うたサーバ会社の配信サイトに送信する（ステップ１１６）。
一方、どの携帯電話会社の仕様のファイルを配信するかをその都度指定すると定める配信ルールが配信ルール記録手段２３に記録されている場合は（ステップ１１３のＮｏ）、配信ルール抽出手段２４が配信ルール記録手段２３からその配信ルールを抽出し、着うたサーバ会社が、携帯電話会社Ａ社、Ｂ社、Ｃ社、・・・と、楽曲ごとに適宜選択すると（ステップ１１３−１）、ステップ１１４に進む。
【００１９】
一方、抽出できなかった（例えば、携帯電話会社Ａ社分の変換ファイルについてのみ着うたデータファイルが蓄積されていなかった）場合（ステップ１１５のＮｏ１）、形式変換手段１８を起動させ、依頼のあった着うたに対応する楽曲データを楽曲データベース１７手段から抽出して、ステップ１１０、ステップ１１１と同様に形式変換して変換仕様別データベース２１に蓄積し（ステップ１１７）、ステップ１１６に進む。
一方、楽曲自体がない場合（ステップ１１５のＮｏ２）、ステップ１０１〜ステップ１１１の一連の動作によりその楽曲の入っているＣＤからその楽曲の着うたデータファイルを作成して（ステップ１１８）、ステップ１１６に進む。
【００２０】
一方、携帯電話端末の所有者自信から着うたの配信の依頼があった場合（ステップ１１９のＹｅｓ）、配信手段２２は該携帯電話端末の携帯電話会社を判断し（ステップ１２０）、その携帯電話端末に適合した仕様の着うたファイルを変換仕様別データベース２１から選び出すが（ステップ１２１）、抽出できた場合は（ステップ１２２のＹｅｓ）、該携帯電話の所有者の携帯電話端末に送信する（ステップ１２３）。抽出できなかった場合は（ステップ１２２のＮｏ）、ステップ１１６及びステップ１１７と同様にしてその携帯電話会社仕様の着うたデータファイルを作成して（ステップ１２４）、ステップ１２３に進む。
【産業上の利用可能性】
【００２１】
本発明によれば、楽曲から着うたのデータファイルへの加工を迅速に行い、着うたの配信を円滑に行うことのできる着うた配信システムが提供される。
【図面の簡単な説明】
【００２２】
【図１】本発明の着うた配信システムの構成を示す図である。
【図２】本発明の着うた配信システムの流れを示す図である。
【図３】本発明の着うた配信システムの流れを示す図である。
【図４】ＣＤの曲目リストの一例を示す図である。
【図５】楽曲抽出条件指定画面の一例を示す図である。
【図６】形式変換条件指定画面の一例を示す図である。
【符号の説明】
【００２３】
１１  楽曲ソースコピー手段
１２  楽曲ソースコピールール記録手段
１３  楽曲ソースコピールール抽出手段
１４  楽曲抽出手段
１５  楽曲抽出ルール記録手段
１６  楽曲抽出ルール抽出手段
１７  楽曲データベース
１８  形式変換手段
１９  形式変換ルール記録手段
２０  形式変換ルール抽出手段
２１  変換仕様別データベース
２２  配信手段
２３  配信ルール記録手段
２４  配信ルール抽出手段
【図１】
2006184821.tif 000003
【図２】
2006184821.tif 000004
【図３】
2006184821.tif 000005
【図４】
2006184821.tif 000006
【図５】
2006184821.tif 000007
【図６】
2006184821.tif 000008